(57)【要約】  多搬送波通信システムにおけるアドレス付与方式が提供される。一実施例においては，グループインデクスが通信ネットワークの端末グループに指定される。グループインデクスは，データ送信の通信ネットワークが対応するアドレスインデクスを端末グループが共有することを可能にする。別の実施例においては，多数の端末が各端末に対応するプリアンブルインデクスを用いて１又は複数のクラスに分類される。プリアンブルインデクスを利用して，多ユーザパケットを処理するために１クラスの端末だけを活性化する多ユーザパケットが発生される。
2009510814.tif 000002
【特許請求の範囲】
【請求項１】
通信ネットワークの端末グループにグループインデクスを指定するステップであって，前記グループインデクスは前記端末グループにデータを送信するために，前記通信ネットワークが対応しているアドレスインデクスの共有を可能にするステップを有する方法。
【請求項２】
前記グループ内の前記端末を唯一に識別するために，前記グループ内の前記端末それぞれにグループ内インデクスを指定するステップを更に有する請求項１に記載の方法。
【請求項３】
前記グループインデクスの１つと前記グループ内インデクスの１つとの組合せが，対応する１つの前記アドレスインデクスとして機能する請求項２に記載の方法。
【請求項４】
前記グループインデクスと前記グループ内インデクスとは，前記アドレスインデクスから得る請求項２に記載の方法。
【請求項５】
多数の送信チャネルを前記アドレスインデクス又はプリアンブルインデクスに対応付けるステップであって，前記グループインデクスは，前記データを含むパケット内のプリアンブルフィールドの値を識別するプリアンブルインデクス集合と関連するステップを更に有する請求項１に記載の方法。
【請求項６】
前記送信チャネルはデータ速度制御（ＤＲＣ）チャネルを含み，前記アドレスインデクスは媒体接続制御（ＭＡＣ）インデクスを含む請求項５に記載の方法。
【請求項７】
前記対応付けるステップは，信号通知メッセージに応答して動的に行う請求項５に記載の方法。
【請求項８】
通信ネットワークの端末グループにグループインデクスを指定するように構成したプロセッサを備え，前記グループインデクスは前記端末グループにデータを送信するために，前記通信ネットワークが対応しているアドレスインデクスの共有を可能にする装置。
【請求項９】
前記プロセッサを，前記グループ内の前記端末を唯一に識別するために前記グループ内の各前記端末にグループ内インデクスを指定するように更に構成する請求項８に記載の装置。
【請求項１０】
前記グループインデクスの１つと前記グループ内インデクスの１つとの組合せが，対応する１つの前記アドレスインデクスとして機能する請求項９に記載の装置。
【請求項１１】
前記グループインデクスと前記グループ内インデクスとは，前記アドレスインデクスから得る請求項９に記載の装置。
【請求項１２】
多数の送信チャネルを前記アドレスインデクス又はプリアンブルインデクスに対応付けるように前記プロセッサを更に構成し，前記グループインデクスは，前記データを含むパケット内のプリアンブルフィールドの値を識別するプリアンブルインデクス集合と関連する請求項８に記載の装置。
【請求項１３】
前記送信チャネルはデータ速度制御（ＤＲＣ）チャネルを含み，前記アドレスインデクスは媒体接続制御（ＭＡＣ）インデクスを含む請求項１２に記載の装置。
【請求項１４】
前記対応付けは，信号通知メッセージに応答して動的に行う請求項１２に記載の装置。
【請求項１５】
ユーザ入力を受信すると前記通信ネットワークを介して通信を開始するように構成した送受信器と，
前記ユーザ入力を表示するように構成したディスプレイと，
を備える請求項９に記載の装置。
【請求項１６】
請求項９に記載の装置を備えるシステムであって，前記データを移動体通信交換センタに送信するように構成した無線基地局制御装置を更に備えるシステム。
【請求項１７】
端末が送信チャネル要求を発生するステップと，
前記要求を接続ネットワークへ送信するステップであって，多数のアドレスインデクスの１つが前記送信チャネルに対応付けられるステップと，
前記接続ネットワークから前記送信チャネルを介してパケットを受信するステップと，
グループインデクスと関連する端末グループから前記端末を唯一に識別するグループ内インデクスを前記パケットが含むかどうかを判定するステップと，
前記パケットが前記端末のグループ内インデクスを指定しているとき，前記端末が前記パケットを処理するステップと，
を有する方法。
【請求項１８】
前記グループインデクスと前記グループ内インデクスとは，前記アドレスインデクスから得る請求項１７に記載の方法。
【請求項１９】
端末が送信チャネル要求を発生するように構成するプロセッサと，
前記要求を接続ネットワークへ送信するように構成する送受信器であって，多数のアドレスインデクスの１つが前記送信チャネルに対応付けられ，前記接続ネットワークから前記送信チャネルを介してパケットを受信するように更に構成された送受信器と，
を備え，
前記プロセッサは，グループインデクスと関連する端末グループから前記端末を唯一に識別するグループ内インデクスを前記パケットが含むかどうかを判定するように更に構成され，前記パケットが前記端末のグループ内インデクスを指定しているとき，前記端末が前記パケットを処理するように更に構成する，
装置。
【請求項２０】
前記グループインデクスと前記グループ内インデクスとは，前記アドレスインデクスから得る請求項１９に記載の装置。
【請求項２１】
多数の端末を，該端末に対応するプリアンブルインデクスを用いて１又は複数のクラスに分類するステップと，
前記プリアンブルインデクスを利用する多ユーザパケットを発生して，前記多ユーザパケットを処理するために１クラスの前記端末だけを活性化するステップと，
を有する方法。
【請求項２２】
前記プリアンブルインデクスは，指定した多ユーザパケットのプリアンブル媒体接続制御（ＭＡＣ）インデクスに基づく請求項２１に記載の方法。
【請求項２３】
前記多ユーザパケットを暗号化し，前記端末はそれぞれ前記多ユーザパケットを復号するデコーダを含み，該デコーダは，前記多ユーザパケットが前記の対応する端末のプリアンブルインデクスを指定しているときだけ活性とする請求項２１に記載の方法。
【請求項２４】
前記分類は，サービスクラスによって行う請求項２１に記載の方法。
【請求項２５】
前記端末はそれぞれ，スペクトラム拡散通信システムで動作するように構成する請求項２１に記載の方法。
【請求項２６】
多数の端末を，該端末に対応するプリアンブルインデクスを用いて１又は複数のクラスに分類するように構成した分類モジュールと，
前記プリアンブルインデクスを利用する多ユーザパケットを発生して，前記多ユーザパケットを処理するために１クラスの前記端末だけを活性化するように構成するプロセッサと，
を備える装置。
【請求項２７】
前記プリアンブルインデクスは，指定した多ユーザパケットのプリアンブル媒体接続制御（ＭＡＣ）インデクスに基づく請求項２６に記載の装置。
【請求項２８】
前記多ユーザパケットを暗号化し，前記端末はそれぞれ前記多ユーザパケットを復号するデコーダを含み，該デコーダは，前記多ユーザパケットが前記の対応する端末のプリアンブルインデクスを指定しているときだけ活性とする請求項２６に記載の装置。
【請求項２９】
前記分類は，サービスクラスによって行う請求項２６に記載の装置。
【請求項３０】
前記端末はそれぞれ，スペクトラム拡散通信システムで動作するように構成する請求項２６に記載の装置。
【請求項３１】
ユーザ入力を受信すると前記通信ネットワークを介して通信を開始するように構成した送受信器と，
前記ユーザ入力を表示するように構成したディスプレイと，
を備える請求項２６に記載の装置。
【発明の詳細な説明】
【技術分野】
【０００１】
本発明の実施例は通信に関し，より特定すれば多搬送波通信システムに関する。
【背景技術】
【０００２】
セルラシステム（例えば，（符号分割多元接続（ＣＤＭＡ）ネットワークのような）スペクトラム拡散システム，又は時間分割多元接続（ＴＤＭＡ）ネットワーク）のような無線通信システムは，ユーザに移動できる利便性並びに豊富なサービス及び特徴を提供する。この利便性は，（テキスト情報及び図形情報を含む）音声及びデータの通信と言う点で業務用及び私用の通信において受け入れられる方法として益々多くの消費者に採用されるようになった。この結果セルラサービス提供事業者は，自分達のネットワーク及びサービスを強化するよう絶え間なく要求されている。これらの目的は，ネットワーク容量の効率的な管理に重点を置いている。
【０００３】
多搬送波システムの開発は，部分的には，先進的アプリケーションに対応するためにより高いデータ速度が必要であるとの認識，及びシステム性能を改善する一般要求に起因している。興味深い一分野は，多搬送波上の多数の端末に対応するために必要な信号方式及びアドレス付与方式である。多数の搬送波が利用できるため，サービスできる端末数は，単一搬送波システムよりも多くなる。このため単一搬送波システムに適したアドレス付与方式は不適当である。新規アドレス付与方式の開発において，既存のプロトコル及び標準がかぎとなる要因であり，このことは興味深い挑戦となる。
【０００４】
別の挑戦は，多搬送波システム用のアドレス付与方式は，単一搬送波システムに対して後方互換性を考慮する必要があることである。
【０００５】
したがって，既存標準及びプロトコルに対する最小の変更で効率的なアドレス付与方式を提供できる方法が必要となる。
【発明の開示】
【課題を解決するための手段】
【０００６】
本発明によって種々の要望が処理され，単一搬送波システムのアドレス付与方式を多搬送波システムに拡張する方法が提示される。
【０００７】
本発明の実施例の一態様によれば，方法は通信ネットワークの端末グループにグループインデクスを指定するステップを有する。上記記グループインデクスは上記端末グループにデータを送信するために，上記通信ネットワークが対応しているアドレスインデクスの共有を可能にする。
【０００８】
本発明の実施例の別の態様によれば，装置は通信ネットワークの端末グループにグループインデクスを指定するように構成したプロセッサを備える。上記グループインデクスは上記端末グループにデータを送信するために，上記通信ネットワークが対応しているアドレスインデクスの共有を可能にする。
【０００９】
本発明の実施例の別の態様によれば，方法は端末が送信チャネル要求を発生するステップと，上記要求を接続ネットワークへ送信するステップと，を有する。多数のアドレスインデクスの１つが上記送信チャネルに対応付けられる。この方法はまた，上記接続ネットワークから上記送信チャネルを介してパケットを受信するステップを有する。更にこの方法は，グループインデクスと関連する端末グループから上記端末を唯一に識別するグループ内インデクスを上記パケットが含むかどうかを判定するステップを有する。上記端末グループは，グループインデクスと関連する。この方法は更に，上記パケットが上記端末のグループ内インデクスを指定しているとき，上記端末が上記パケットを処理するステップを有する。
【００１０】
本発明の実施例の別の態様によれば，装置は端末が送信チャネル要求を発生するように構成するプロセッサを備える。この装置はまた，上記要求を接続ネットワークへ送信するように構成する送受信器を備え，多数のアドレスインデクスの１つが上記送信チャネルに対応付けられる。この送受信器は更に，上記接続ネットワークから上記送信チャネルを介してパケットを受信するように更に構成され，上記プロセッサは，グループインデクスと関連する端末グループから上記端末を唯一に識別するグループ内インデクスを上記パケットが含むかどうかを判定するように更に構成される。上記端末グループは，グループインデクスと関連する。上記プロセッサは，上記パケットが上記端末のグループ内インデクスを指定しているとき，上記端末が上記パケットを処理するように更に構成される。
【００１１】
本発明の実施例の別の態様によれば，多数の端末を，該端末に対応するプリアンブルインデクスを用いて１又は複数のクラスに分類するステップを有する。この端末はまた，上記プリアンブルインデクスを利用する多ユーザパケットを発生して，上記多ユーザパケットを処理するために１クラスの上記端末だけを活性化するステップを有する。
【００１２】
本発明の実施例の更に別の態様によれば，装置は，多数の端末を，該端末に対応するプリアンブルインデクスを用いて１又は複数のクラスに分類するように構成した分類モジュールを備える。この装置はまた，上記プリアンブルインデクスを利用する多ユーザパケットを発生して，上記多ユーザパケットを処理するために１クラスの上記端末だけを活性化するように構成するプロセッサを備える。
【００１３】
本発明の更に別の態様と，特徴と，利点とは，本発明の実施例を実施するための最良の形態を含み，単にいくつかの特定の実施例及び実装例を示す次に述べる詳細な説明から直ちに明らかである。本発明はまた，別の実施例も可能であり，そのいくつかの詳細は，本発明の精神及び範囲を逸脱することなく種々の明白な観点で修正可能である。したがって，本願の図面及び明細書は，本質的に例示的であって制約的ではないことを認識されたい。
【００１４】
添付の図面において，本発明の実施例を限定ではなく例として示し，ここで類似の参照符号は類似の要素を指すものとする。
【発明を実施するための最良の形態】
【００１５】
多搬送波通信システムにおいて用いるためのアドレス付与機構を提供する装置と，方法と，ソフトウェアと，を開示する。以降，説明のために，本発明を完全に理解できるように多くの特定の詳細が述べられる。しかし本発明は，これら特定の詳細を用いずに，又は均等な構成によって実施可能であることは，当業者には明白である。別の例として，不必要に本発明を不明りょうにすることを避けるため，周知の構造及びデバイスは，ブロック図で示される。
【００１６】
本発明のある実施例は，スペクトラム拡散システム及びウォルシュ（Ｗａｌｓｈ）符号を用いて説明するが，当業者であれば本発明のそれらの実施例は，任意の種別の無線通信システム及びほかの直交符号も適用できることを理解するであろう。本発明は，一実施例によれば，第３世代パートナシッププロジェクト２（３ＧＰＰ２）ｃｄｍａ２０００の，符号分割多元接続（ＣＤＭＡ）Ｎ×ＥＶ−ＤＯ（データ専用進化）ネットワークにおける多搬送波要求条件を提供する。
【００１７】
無線ネットワーク１００は，高速パケットデータ（ＨＲＰＤ）に対応する３ＧＰＰ２の標準によって運用される。図１において無線ネットワーク１００は，１又は複数の接続端末（ＡＴ）１０１を含み，そのうちの１つのＡＴが無線インタフェースを介して接続ネットワーク（ＡＮ）１０５と通信している。ｃｄｍａ２０００システムにおいては，ＡＴ１０１は移動機と均等であり，ＡＮは無線基地局と均等である。ＡＴ１０１は，ユーザにデータ接続を提供するデバイスである。例えばＡＴ１０１は，パーソナル計算機，パーソナルデジタルアシスタント，などのような計算システム，又はデータサービスが可能な携帯電話機に接続することができる。無線構成は２つの運用モード，１×及び多搬送波（すなわちＮ個の搬送波）を含む。多搬送波システムは，多数の１×搬送波を用いて，下りリンクを介したＡＴ（すなわち移動機）１０１へのデータ速度を高める。このように１×技術とは異なり，多搬送波システムは多数の搬送波上で運用される。換言すればＡＴ１０１は，多数の搬送波を同時に利用することができる。更に上りリンクも多搬送波（Ｍ個の搬送波）を利用することができる。
【００１８】
多元接続無線通信システム１００においては，ユーザ間の通信は１又は複数のＡＮ１０５を通じて行われ，第１無線局のユーザ（ＡＴ）１０１は無線基地局へ上りリンク上で情報信号を搬送することによって第２無線局の第２ユーザと通信する。一実施例においてＡＮ１０５は，大域インターネット１１３のようなパケット交換データネットワークとＡＴ１０１との間のデータ接続を行うネットワーク装置である。ＡＮ１０５は情報信号を受信し，その情報信号をＡＴ１０１へ下りリンク上で搬送する。下りリンクとはＡＮ１０５から無線加入者局への送信を指し，上りリンクとは無線加入者局からＡＮ１０５への送信を指す。ＡＮ１０５は上りリンクで無線加入者局の第１ユーザからデータを受信し，そのデータを公衆データネットワーク又は私設データネットワーク１１３を介して，データネットワーク１１３の第２ユーザへ配信する。例えばＩＳ−９５，広帯域ＣＤＭＡ（ＷＣＤＭＡ），ＩＳ−２０００など多くの通信システムにおいて，下りリンクと上りリンクとには別の周波数が割り当てられる。
【００１９】
コネクションは，ＡＴ１０１が下り情報チャネルと，上り情報チャネルと，関連する媒体接続制御（ＭＡＣ）チャネルと，を指定されている特定の無線リンク状態である。１つのＨＲＰＤセッション中に，ＡＴ１０１及びＡＮ１０５はコネクションを複数回開始及び停止することができる。ＨＲＰＤセッションとは，ＡＴ１０１とＡＮ１０５との共有状態を指す。この共有状態は，調停されたプロトコル及びプロトコル設定を記憶し，ＡＴ１０１とＡＮ１０５との間の通信に用いられる。セッションを開始する以外にＡＴ１０１は，開始されたセッションなしにはＡＮ１０５と通信を行うことができない。下り情報チャネルで送信を行うとき，ＡＮ１０５は例えばＭＡＣインデクス（”ＭＡＣ  ＩＤ”又は”ＭＡＣＩｎｄｅｘ”と記す）を用いてターゲットＡＴ１０１を識別する。例として各ウォルシュチャネルはＭＡＣＩｎｄｅｘ値によって識別され，ウォルシュカバー及び唯一の変調位相を規定する。ＨＲＰＤに関する更に詳細な説明は，3GPPS C.S0024-A，"cdma 2000 High Rate Packet Data Air Interface Specification"，２００４年３月と，3GPP2 A.S0007-A v2.0，"Interoperability Specification (IOS) for High Rate Packet Data (HRPD) Access Network Interfaces - Rev. A"，２００３年５月と，3GPP2 A.S0008-0 v3.0，"Interoperability Specification (IOS) for High Rate Packet Data (HRPD) Access Network Interfaces"，２００３年５月と，に記載されている。ここでそれらの全体を参照する。
【００２０】
１×ＤＯシステムにおいては通常各ＡＴ１０１に媒体接続制御インデクス（ＭＡＣ  ＩＤ）が指定される。各ＡＴ１０１に送信されるパケットはＭＡＣ  ＩＤによって識別され，そのようなアドレス付与方式は，ＡＴ１０１が別のユーザのパケットを自己のパケットと混同しないように，及びその逆にならないために必要である。しかし従来方法は，ＤＯ  Ｒｅｖ．０においては１×ＤＯ搬送波当たり６４ＭＡＣ  ＩＤまで，ＤＯ  Ｒｅｖ．Ａにおいては１×ＤＯ搬送波当たり１２８ＭＡＣ  ＩＤまで，が利用できることを必要とする。Ｎ×ＤＯシステムにおける容量が増加すると，１ＤＯ搬送波が１２８ＡＴ以上に対応する必要が生じ，ＭＡＣ  ＩＤが不足することが予想される。
【００２１】
ＡＮ１０５は，パケット制御機能（ＰＣＦ）１０９を介してパケットデータサービスノード（ＰＤＳＮ）１１１と通信する。ＡＮ１０５又はＰＣＦ１０９のいずれかがＳＣ／ＭＭ（セッション制御及び移動性管理）機能を提供し，それは中でもＨＲＰＤセッション関連情報の記憶と，ＡＴ１０１が無線ネットワークに接続したとき，ＡＴ１０１を認証するかどうかを判定する端末認証手続の実行と，ＡＴ１０１の位置管理と，を含む。ＰＣＦ１０９は，3GPP2 A.S0001-A v2.0，"3GPP2 Access Network Interfaces Interoperability Specification"，２００１年６月，に更に説明されており，ここにその全体を参照する。
【００２２】
更にＡＮ１０５は，ＡＮ−ＡＡＡ（認証，承認，課金エンティティ）１０７と通信し，それはＡＮ１０５に端末認証及び承認機能を提供する。
【００２３】
ＡＮ１０５は，高データ速度サービスに対応するＨＲＰＤ無線基地局を含む。無線基地局は，接続端末とネットワークとの間で１又は複数の送受信器を介した無線周波（ＲＦ）インタフェース（搬送波）を供給することを理解されたい。ＨＲＰＤ無線基地局は，ＨＲＰＤ無線基地局がサービスを提供する各セクタ（又はセル）に，ＨＲＰＤアプリケーション用の個別データ専用（ＤＯ）搬送波を供給する。個別の無線基地局又は搬送波（図示していない）が，音声アプリケーション用の音声搬送波を供給する。ＨＲＰＤ接続端末１０１は，ＤＯ接続端末，又は音声サービス及びデータサービス双方を利用できる２重モード移動機であってもよい。データセッションを実行するためにＨＲＰＤ接続端末１０１は，ＤＯ高速データサービスを用いるためにＤＯ搬送波に接続する。データセッションはパケットデータサービスノード（ＰＤＳＮ）１１１によって制御され，ＰＤＳＮはＨＲＰＤ接続端末１０１とインターネット１１３との間ですべてのデータパケットを配信する。ＰＤＳＮはパケット制御機能（ＰＣＦ）１０９に直接のコネクションを有しており，ＰＣＦはＨＲＰＤ無線基地局の無線基地局制御装置（ＢＳＣ）と接続している。ＢＳＣは，ＨＲＰＤ無線基地局の運用，維持及び管理と，音声符号化と，速度適応と，無線資源の操作と，を行う。ＢＳＣは個別ノードであってもよいし，１又は複数のＨＲＰＤ無線基地局と併設してもよいことを理解されたい。
【００２４】
１×搬送波においては，各ＨＲＰＤ無線基地局は，複数（例えば３）のセクタ（又はセル）にサービスを提供することができる。しかし各ＨＲＰＤ無線基地局は，１つのセル（１つの包括セルを指す）だけにサービスを提供することができることを理解されたい。またネットワークは複数のＨＲＰＤ無線基地局を含むことができ，各無線基地局は１又は複数のセクタにサービスを提供することができ，ＨＲＰＤ接続端末は同一ＨＲＰＤ無線基地局の各セクタ又は別のＨＲＰＤ無線基地局の各セクタ間でハンドオフできることを理解されたい。各セクタ（又はセル）に対して，ＨＲＰＤ無線基地局は更に１つの共有の時間分割多重（ＴＤＭ）下りリンクを用い，同時にはただ１つのＨＲＰＤ接続端末にサービスが提供される。下りリンクのスループットは，すべてのＨＲＰＤ接続端末が共有する。ＨＲＰＤ接続端末は，そのデータ速度制御（ＤＲＣ）がセクタを指すようにし，チャネル条件に応じて（すなわちチャネルの搬送波対干渉（Ｃ／Ｉ）比によって）下りデータ速度を要求することによって，ＨＲＰＤ無線基地局のサービス提供セクタ（又はセル）を選択する。
【００２５】
無線通信技術は，際立った特性を有する種々のアプリケーションにより高いデータ速度と，よりよいサービス品質を提供するために，進化を続けている。ｃｄｍａ２０００ ＨＲＰＤ標準は，１．２５ＭＨｚ搬送周波数帯域幅で高データ速度を提供する。このシステムは１つの１．２５ＭＨｚ帯域幅搬送波（１×）でＤＯサービスを提供し，１×ＤＯシステムと呼ばれることもある。更に設備計画を改善するために，このｃｄｍａ２０００  ＨＲＰＤ標準は多搬送波ＣＤＭＡシステム，例えばシステム１００を説明する必要がある。このシステム１００（多搬送波ＨＲＰＤ（ＭＣ−ＨＲＰＤ）システム，又はＮ×ＤＯシステム）において，ＡＴ１０１は複数の１．２５ＭＨｚ帯域幅でデータを送受信することができる。
【００２６】
多搬送波運用において複数のＡＴ１０１を収容する１つの方法は，３ＧＰＰ２寄書，CS25-20050620-030，"Increased Forward Link MAC indices For Multi-carrier Operation"，２００５年６月２０日，に説明されている（ここのその全体を参照する）。
【００２７】
上述のとおり多搬送波システムにおいては，ＡＴ１０１のアドレス付与に対する従来の方法は適応能力がない，すなわちＭＡＣインデクスが不足する。種々の実施例によって，システム１００は図２〜８に説明するようにグループアドレス（すなわちグループインデクス）を用いることと，多ユーザパケット（図９〜１１に示す）を用いることと，によってＭＡＣインデクスを共有することを可能にする。
【００２８】
図２は，本発明の実施例によるＡＴ１０１にアドレスを指定する処理の例示フローチャートである。例としてステップ２０１においてシステム１００はＡＴ１０１の集合にグループアドレス（すなわちグループインデクス）を指定することができる。各ＡＴ１０１を識別するために，ステップ２０３においてＡＴ１０１の集合内の各端末に内部アドレス（すなわちグループ内インデクス）が指定される。ステップ２０５において，システム１００の送信チャネルは，指定されたグループアドレスと関連する。これに関してシステム１００は，ＡＴ１０１の集合に対して１つの送信チャネルを用いることができ，ステップ２０７において送信チャネルを介して通信する際に，グループアドレス及び対応する内部アドレスを用いて端末を識別することができる。
【００２９】
一実施例においては，グループアドレス及び内部アドレスは図３に示すとおりＭＡＣインデクスを用いる。
【００３０】
図３に示すとおり，ステップ３０１でシステム１００はＡＴ１０１のグループにアドレスインデクス，例えばＭＡＣインデクス（ＭＡＣ  ＩＤ）の集合を指定する。グループ内でＡＴ１０１を唯一に識別するために，システム１００はステップ３０３においてグループ内の各ＡＴ１０１にグループ内インデクス，例えばグループ内ＭＡＣインデクス（"ＩｎｔｒａＧｒｏｕｐＭＡＣＩｎｄｅｘ"と記す）を指定する。次にシステム１００はステップ３０５において各ＭＡＣＩｎｄｅｘを送信チャネル，例えばＤＲＣチャネルに対応付けることができる。
【００３１】
上記アドレス付与機構は，本発明の一実施例によればＡＴ１０１のグループがＭＡＣ  ＩＤ集合を共有することを可能にする。ＭＡＣ  ＩＤと送信チャネル（例えばＤＲＣチャネル）との対応付けを規定することによって，この機構は別のＡＴ１０１にあてた物理層パケットの偽アラーム及び不必要な復号を減少させる点で有利である。本発明の一実施例においては，ＡＴ１０１のグループが１つのＤＲＣに関連するＭＡＣ  ＩＤの集合を共有する。ＡＴ１０１のグループサイズは，ＡＴ１０１に指定されたＭＡＣ  ＩＤのグループサイズよりも大きくてもよい。これらのＡＴ１０１内での区別は，例えば物理層ペイロード内のグループ内インデクス又は内部アドレス（例えばグループ内ＭＡＣインデクス）によって行われる。
【００３２】
ＡＴ１０１と，ＧｒｏｕｐＭＡＣＩｎｄｅｘと，ＩｎｔｒａＧｒｏｕｐＭＡＣＩｎｄｅｘと，ＤＲＣと，の関係を図４に示す。
【００３３】
図２及び３のアドレス付与機構をより良く理解するために，ＨＲＰＤ／ＤＯシステムのアドレス付与機構及び下りリンク可変速度送信の機構をより詳細に調べることが役に立つ。
【００３４】
ＤＯシステムにおいて，各ＡＴ１０１はＭＡＣＩｎｄｅｘ  ｉ＝０，１，…，１２７が指定され，それがＡＴ１０１の「アドレス」である。プリアンブルシーケンスは，ＡＴ１０１が各可変速度送信と同期するのを支援するために，各下りリンク物理層パケットと共に送信される。プリアンブルシーケンスは，同相成分ですべてが”０”のシンボルが送信されるように規定される。プリアンブルシーケンスは，下り情報チャネル又は物理層ペイロードを搬送する制御チャネル変調チップと時間多重される。プリアンブルシーケンスは，６４チップ双直交シーケンスによって包含され，送信モードに依存して何回か繰り返される。双直交シーケンスは，例えば次の式によって６４次ウォルシュ関数とそのビット単位補数として規定される。
【数１】
2009510814.tif 000003
【００３５】
【数２】
2009510814.tif 000004
【００３６】
この方式は，ＭＡＣＩｎｄｅｘがアドレス機構として使われるとき１２８のＡＴ１０１だけに対応する。ＤＯ搬送波において１２８以上のＡＴ１０１に対応するためには，あるＡＴ１０１はＭＡＣＩｎｄｅｘを共有しなければならない。この機構の欠点は，この特定の共有多ユーザパケットが本質的に同報パケットであり，それが用いられるとセクタ全体の多数のＡＴ１０１を「起動する」ものである。この同報は，資源を無駄にする。例えばパケットがＡＴ１０１に関して何の情報も含んでいないとき，ＡＴのバッテリ寿命が必要もなく減少することになる。
【００３７】
本発明の種々の実施例によれば，図４に示すとおりアドレス付与方式は，複数のＡＴ１０１がＭＡＣ  ＩＤ４０１，例えばＭＡＣＩｎｄｅｘ  １  …  ＭＡＣＩｎｄｅｘ  Ｍ（Ｍは整数）を共有する能力を効果的に提供する。ＡＴ１０１の各グループにグループインデクス，すなわちＧｒｏｕｐＭＡＣＩｎｄｅｘ４０３が指定される。各ＧｒｏｕｐＭＡＣＩｎｄｅｘ４０３は，ＤＯシステムにおいて当初に規定されたＭＡＣＩｎｄｅｘ４０１の集合と関連する。各グループ内でＡＴ１０１はＩｎｔｒａＧｒｏｕｐＭＡＣＩｎｄｅｘ４０５によって識別される。対応付けは，ＭＡＣＩｎｄｅｘ４０１の集合と，すべての可能なＤＲＣ値４０７との間で規定される。
【００３８】
図５は，本発明の実施例による図４のアドレス付与方式に対する例示パケット形式の図である。パケットは１又は複数のスロット５０１で送信される。この例では第１スロットが，プリアンブルインデクスを指定するためのプリアンブルフィールド５０１ａと，データフィールド５０１ｂと，ＭＡＣ  ＩＤ用のＭＡＣフィールド５０１ｃと，パイロットフィールド５０１ｄと，を含む。スロット５０１はまた，別のデータフィールド５０１ｆ，５０１ｇ及び５０１ｋ，並びにＭＡＣフィールド５０１ｈ及び５０１ｊを含んでもよい。もう１つのパイロットフィールド５０１ｉも与えられる。
【００３９】
パケットは更に物理層ペイロード５０３も含み，これはＩｎｔｒａＧｒｏｕｐＭＡＣＩｎｄｅｘフィールド５０３ａと，セキュリティ層パケットフィールド５０３ｂ（これはＡＮ１０５が対応するセキュリティプロトコルによって，受信セキュリティ層パケットに設定される）と，任意選択のパッドフィールド５０３ｃと，ＭＡＣ  Ｔｒａｉｌｅｒフィールド５０３ｄと，を含む。ＡＴ１０１は復号が成功するとこの物理層ペイロード５０３を解析する。フィールド５０３ａ内のＩｎｔｒａＧｒｏｕｐＭＡＣＩｎｄｅｘ４０５は，このパケットが意図するＡＴ１０１のグループ内のＡＴ１０１を識別する。このグループは同一のＭＡＣＩｎｄｅｘ４０１の集合を共有している。図示したとおりフィールド５０５はＣＲＣ（巡回冗長検査）＋Ｔａｉｌのために与えられる。
【００４０】
例として各ＧｒｏｕｐＭＡＣＩｎｄｅｘ４０３は，１５個のＭＡＣインデクス４０１の集合に対応する。例えば，１５個のＭＡＣＩｎｄｅｘ４０１と１５個のＤＲＣ４０７との間で１対１の対応付けが規定される。表１にＭＡＣＩｎｄｅｘとＤＲＣとの対応付けの例を示す。
【表１】
2009510814.tif 000005
【００４１】
このアドレス付与機構について特記したとおり，ＡＴ１０１のグループにＭＡＣインデクス（例えばＭＡＣＩｎｄｅｘ４０１）の集合を指定することができ，またそのグループ内の各ＡＴ１０１にもＩｎｔｒａＧｒｏｕｐＭＡＣＩｎｄｅｘ４０５が指定される。ＩｎｔｒａＧｒｏｕｐＭＡＣＩｎｄｅｘ４０５の容量は可変である。例えば２５６までのＡＴ１０１は，８ビットのＩｎｔｒａＧｒｏｕｐＭＡＣＩｎｄｅｘ４０５によって表すことができる。このように上記の例においては，パケットを２５６のＡＴ１０１に送信するために１５個のＭＡＣＩｎｄｅｘ４０１を用いてもよい。ＤＯ  Ｒｅｖ．Ａでは，制御チャネル用に用いるか，又は多ユーザパケットのために用いるために予約されたＭＡＣインデクスを除いて，１×搬送波当たり合計１１５のＭＡＣインデクスが利用可能である。ＭＡＣＩｎｄｅｘ４０１の７個の集合が規定されたとき，例示実施例のアドレス付与方法は，搬送波当たり（２５６×７＋１０）＝１８０２のＡＴ１０１のアドレス付与ができる。搬送波当たり１８０２以上のＡＴ１０１を扱う必要があるときは，ＩｎｔｒａＧｒｏｕｐＭＡＣＩｎｄｅｘ４０５のサイズを適宜に増加させてもよい。この方法によってＭＡＣＩｎｄｅｘ不足の問題は大きく緩和される。
【００４２】
下りリンクの可変速度送信に対応するため，各ＡＴ１０１はＤＲＣ要求をＡＮ１０５に送信する。１つのＡＴ１０１が送信のために選択されたとき，ＡＮ１０５はＡＴ１０１に指定されたＭＡＣＩｎｄｅｘ４０１の集合の中からＤＲＣ４０７に対応するＭＡＣＩｎｄｅｘ４０１を選択する。ＡＮ１０５はＭＡＣＩｎｄｅｘ４０１から得たプリアンブルを有する物理層パケットを送信する。意図したＡＴ１０１は要求したＤＲＣ４０７を知っているので，ＡＴ１０１は，送信に用いるＭＡＣＩｎｄｅｘ４０１及びプリアンブルの双直交シーケンスも知ることになる。また意図したＡＴ１０１は，要求したＤＲＣを用いてプリアンブル長も知ることになる。ノイズによって発生する通常のエラー事象にもかかわらず，このパケットは意図したＡＴ１０１と，たまたま同一のＤＲＣ４０７を有する新規パケットを待っている同一グループ内の別のＡＴ１０１と，が正しく受信することが望ましい。ネットワーク内のすべてのＡＴ１０１がそのパケットを受信することになる同報問題は避けられることに注意されたい。ＩｎｔｒａＧｒｏｕｐＭＡＣＩｎｄｅｘ４０５をＭＡＣＩｎｄｅｘ４０１と組み合わせて用いることによって，ＡＴ１０１は受信パケットがそのＡＴ１０１に対するものであることを識別することができる。
【００４３】
代替実施例においては，図６〜８に示す別のアドレス付与機構がアドレス共有を可能にするために提供され，単一搬送波システムとの後方互換性が達成される。
【００４４】
図６は，本発明の種々の実施例による，グループアドレス及びプリアンブル情報を用いてアドレスをＡＴに指定する処理のフローチャートである。このシナリオでは，ステップ６０１においてシステム１００がＡＴ１０１の各グループにグループＭＡＣインデクス（すなわち”ＧｒｏｕｐＭＡＣＩｎｄｅｘ”）を指定することができる。次にステップ６０３においてＧｒｏｕｐＭＡＣＩｎｄｅｘは，パケットのプリアンブルフィールドに対応するプリアンブルインデクス集合と関連付けられる。これらのインデクスは，”ＰｒｅａｍｂｌｅＩｎｄｅｘ”と記される。システム１００は，各グループ内でそのＭＡＣ  ＩＤによってＡＴ１０１を識別することができる（ステップ６０５）。このようにしてシステム１００は，プリアンブルインデクス（例えばＰｒｅａｍｂｌｅＩｎｄｅｘ）の集合をＡＴ１０１の各グループのＤＲＣ値と対応させる。図７にこれらのパラメータを示す。
【００４５】
図７は，本発明の種々の実施例による，グループアドレスとプリアンブルインデクスとの関係を示す図である。特に，ＡＴ１０１と，ＧｒｏｕｐＭＡＣＩｎｄｅｘ７０１と，ＭＡＣＩｎｄｅｘ７０３と，ＰｒｅａｍｂｌｅＩｎｄｅｘ７０５と，ＤＲＣ７０７と，の関係が示されている。図６に関して説明したとおり，この例示方式においては，ＧｒｏｕｐＭＡＣＩｎｄｅｘ７０１がＡＴ１０１のグループ内の各ＡＴに指定される。このようにＧｒｏｕｐＭＡＣＩｎｄｅｘ７０１はプリアンブル情報（例えばＰｒｅａｍｂｌｅＩｎｄｅｘ７０５）の集合と関連付けられる。プリアンブル情報は，例えば（図８に示した）プリアンブルフィールドで用いる双直交シーケンスを識別する。各グループ内では，ＡＴ１０１はそのＭＡＣインデクス７０３によって識別される。ＰｒｅａｍｂｌｅＩｎｄｅｘ７０５の集合と，すべての可能なＤＲＣ値７０７との対応が規定される。
【００４６】
図７に示すとおりこの例においては，ＤＲＣ７０７とＰｒｅａｍｂｌｅＩｎｄｅｘ７０５との対応は１対１である。しかし実装によっては別の構成を用いてもよいことを考慮されたい。例として各ＧｒｏｕｐＭＡＣＩｎｄｅｘ７０１は，１５個のＰｒｅａｍｂｌｅＩｎｄｅｘ７０５の集合に対応する。例えば１５個のＰｒｅａｍｂｌｅＩｎｄｅｘ７０５と，１５個のＤＲＣ７０７との間で１対１の対応が規定される。次の表２にＰｒｅａｍｂｌｅＩｎｄｅｘとＤＲＣとの対応を示す。
【表２】
2009510814.tif 000006
【００４７】
図４のアドレス付与方式に示すとおり，ＭＡＣＩｎｄｅｘ７０３の容量は可変である。例えば２５６までのＡＴ１０１は８ビットのＭＡＣＩｎｄｅｘ７０３で表すことができる。このように１５個のＰｒｅａｍｂｌｅＩｎｄｅｘ７０５が２５６のＡＴ１０１にパケットを送信するために用いられる。例として，２ビットのＧｒｏｕｐＭＡＣＩｎｄｅｘ７０１を用いてもよい。後方互換性に対応するために，ＧｒｏｕｐＭＡＣＩｎｄｅｘ＝‘００’を旧式のＡＴ１０１用に予約してもよい。本発明の一実施例によれば，このアドレス付与方式は搬送波当たり（２５６×３＋１２８−１５×３）＝８５１のアドレス付与が可能である。したがってＧｒｏｕｐＭＡＣＩｎｄｅｘ７０１及びＭＡＣＩｎｄｅｘ７０３は，例えば情報チャネル指定メッセージのフィールドを拡張することによって伝送することができる。（ＧｒｏｕｐＭＡＣＩｎｄｅｘ７０１，ＭＡＣＩｎｄｅｘ７０３）の対は１０ビットのフィールドであるが，ＡＴ１０１を唯一に識別する。
【００４８】
ＭＡＣ層の単一ユーザ一重パケット（ｓｉｍｐｌｅｘ  ｐａｃｋｅｔ）形式は，図８に示すように設計してもよい。この形式は図５の形式に似ている。しかしこのシナリオでは，ＭＡＣＩｎｄｅｘ８０３ａが（同一のＧｒｏｕｐＭＡＣＩｎｄｅｘを共有する）ＡＴ１０１のグループ内の，このパケットの意図するＡＴ１０１を識別する。第１スロット８０１のフィールド８０１ａ〜８０１ｋは，図５のスロット５０１と似ている。類似して物理層ペイロード８０３の後にＣＲＣ＋Ｔａｉｌフィールド８０５が続く。物理層ペイロード８０３は，ＭＡＣＩｎｄｅｘフィールド８０３ａと，セキュリティ層パケットフィールド８０３ｂと，任意選択パッドフィールド８０３ｃと，ＭＡＣ  Ｔｒａｉｌｅｒフィールド８０３ｄと，を含む。
【００４９】
図２〜８に関して説明したアドレス付与方式は，多くの形態で実現可能であることを考慮されたい。例えば，ＧｒｏｕｐＭＡＣＩｎｄｅｘとＩｎｔｒａＧｒｏｕｐＭＡＣＩｎｄｅｘとを結合してＡＴ１０１のＭＡＣ  ＩＤとしてもよい。また各ＡＴ１０１にＭＡＣＩｎｄｅｘを指定し，そのＭＡＣＩｎｄｅｘからＧｒｏｕｐＭＡＣＩｎｄｅｘ及びＩｎｔｒａＧｒｏｕｐＭＡＣＩｎｄｅｘを得てもよい。更に上記のとおり，ＤＲＣとＭＡＣＩｎｄｅｘとの対応は１対１である必要はなく，１対多，多対１又はそれらの任意の組合せであってもよい。更に，ＡＴ１０１の別のグループ，ＭＡＣＩｎｄｅｘの別の集合，又は別のＧｒｏｕｐＭＡＣＩｎｄｅｘの対応付けは異なってもよい。
【００５０】
システム１００において，ＭＡＣＩｎｄｅｘの複数の集合，すなわち複数のＧｒｏｕｐＭＡＣＩｎｄｅｘを規定してもよい。ＭＡＣＩｎｄｅｘの集合と，ＭＡＣＩｎｄｅｘ集合とＤＲＣとの対応と，ＡＴ１０１のグループと，の規定は，コネクション設定中又は通信中に信号通知メッセージによって動的に変更することができる。
【００５１】
ＩｎｔｒａＧｒｏｕｐＭＡＣＩｎｄｅｘの形式と，物理層パケット内のＩｎｔｒａＧｒｏｕｐＭＡＣＩｎｄｅｘの位置と，ＭＡＣ層パケットと，は変更してもよい。
【００５２】
更に，意図したＡＴ１０１を識別するために，別の形式のインデクスを用いてもよい。例えばＧｒｏｕｐＭＡＣＩｎｄｅｘ及びＩｎｔｒａＧｒｏｕｐＭＡＣＩｎｄｅｘは，明示的に規定する必要はない。それらは，意図するＡＴ１０１を識別することができる，より大きなＭＡＣＩｎｄｅｘの単なる一部又は関数であってもよい。
【００５３】
また更に，１つのＭＡＣ層パケットによって１又は複数のＡＴ１０１からのペイロードを送信するために，単一ユーザ一重と，単一ユーザ多重と，多ユーザと，のＭＡＣ層パケット形式を生成してもよい。ＡＴ１０１は，１×ＤＯ  ＡＴ１０１，Ｎ×ＤＯ  ＡＴ１０１又は双方の混合，であってよい。例えば，多ユーザパケット用に現在のＨＲＰＤ／ＤＯ標準において規定されたものと類似の形式を用いてもよい。差異は，Ｎ×ＤＯ  ＡＴ１０１が単一のＭＡＣＩｎｄｅｘの代わりにＧｒｏｕｐＭＡＣＩｎｄｅｘ及びＩｎｔｒａＧｒｏｕｐＭＡＣＩｎｄｅｘによって識別されることである。
【００５４】
種々の実施例によれば，アドレス付与方式は別のＭＡＣアドレス付与方式を用いてもよい。例えば，時間共有／時間多重を用いて，複数のＡＴ１０１が１つのＭＡＣＩｎｄｅｘ又はその集合を共有できるようにしてもよい。
【００５５】
説明したアドレス付与方式に加えて，システム１００は従来の多ユーザパケット（ＭＵＰ）システムの欠点を克服するＭＵＰを用いてもよい。不必要なバッテリ消費を避ける必要性からすると，ＭＵＰを使用するＡＴ１０１は，従来，ＭＵＰを使用しないＡＴ１０１よりもずっと多くの電力消費が必要であった。ＭＵＰを使用しないＡＴは，プリアンブルを検出し，プリアンブルが実際にそのＡＴのＭＡＣインデクスを含むときだけ情報データを復号するので，ＭＵＰが送信されているとき常には「活性」ではない。ＡＴが用いる復号方法がターボ符号を用いていると仮定すると，ＡＴのターボデコーダは多くの電力を消費する。この復号処理を待機状態にできれば，バッテリ消費の大きな削減が達成できる。ＭＵＰを使用するＡＴは，多ユーザＭＡＣインデクスを含むプリアンブルを検出したとき常に情報データを復号する。ＡＴは，ターボ復号の後に限ってＭＵＰが自分宛の情報を含んでいるか否かを知ることに注意されたい。したがって，（ＭＵＰを使用する）ＡＴ１０１のターボデコーダは，多ユーザプリアンブルが送信されている間は常に活性である。
【００５６】
ＭＵＰはＶｏＩＰ（ＩＰ電話）のような多くのデータネットワークアプリケーションに適しており，したがって単純に避けることは好ましくないと考えられる。例えばｃｄｍａ２０００  １×ＥＶ−ＤＯ（ｒｅｖ．Ａ）仕様書においては，ＭＵＰを導入してＶｏＩＰ通信セッションのような小パケットサービスと，ゲームと，無線アプリケーションプロトコルと，その他と，に対応するために導入されている。ｃｄｍａ２０００  １×ＥＶ−ＤＯのＭＡＣに導入されたＭＵＰは，物理層パケットによって複数ユーザのパケットを送信することができる。ＭＵＰのＭＡＣ層ヘッダは，各ユーザに属するＭＡＣ層ペイロードの内容を解析するために必要な情報を提供する。
【００５７】
ＭＵＰにかかわるアドレス付与方式の欠点を軽減するために，システム１００はサービス分類を行う。次にこの方法を説明する。
【００５８】
図９は，本発明の実施例によるＭＵＰを利用するように構成した接続ネットワークの図である。このシナリオでは，ＡＮ１０５はＭＵＰを処理するように構成した分類モジュール９０１を用いてＡＴ１０１を分類する。例えば，ＡＴ１０１ａ及びＡＴ１０１ｄはクラス１に分類され，ＡＴ１０１ｂ及びＡＴ１０１ｃはクラス２にグループ化される。このようにＭＵＰがクラス１パケットに指定されているときは，ＡＴ１０１ａ及びＡＴ１０１ｄだけがそのパケットを復号する。したがってクラス２のＡＴ１０１ｂ及びＡＴ１０１ｃは不活性すなわち待機状態に留まり，それによって電力を節減する。しかしＭＵＰがクラス２端末に指定されているときは，ＡＴ１０１ｂ及びＡＴ１０１ｃは活性となり，クラス１端末であるＡＴ１０１ａ及びＡＴ１０１ｄは待機状態である。以降，この分類処理をより詳しく説明する。
【００５９】
図１０は，本発明の種々の実施例によるＭＵＰの利用を可能にするためにＡＴを分類する処理のフローチャートである。ステップ１００１において，ＡＴ１０１は表３に示すプリアンブルＭＡＣインデクスによってＮクラス（ここでＮ＞１）に分類される。
【表３】
2009510814.tif 000007
【００６０】
表４に示すとおり，本発明の一実施例によればｉ番目のユーザは，そのＭＡＣインデクスがＭＡＣｉ％Ｎ＝ｎを満たすとき，ｎ番目のクラスに分類される。ＡＴ１０１は，無作為に，又はそのサービス種別に応じて分類される。
【表４】
2009510814.tif 000008
【００６１】
この方式によれば，ＡＮ１０５は各ＡＴ１０１に新規ＭＡＣ属性を通じてそのクラスを通知する。このように別のクラスのＡＴ１０１は，ステップ１００３のとおり自己の指定されたＭＵＰプリアンブルベース（”ＭＵＰＰｒｅａｍｂｌｅＢａｓｅ”）インデクスによる別のクラスの多ユーザＭＡＣインデクスをそれぞれ有する。次にステップ１００５に示すとおり，選択されたクラスを有するＭＵＰが発生される。結果として，ステップ１００７においてＡＮ１０５が選択されたクラスのＭＡＣインデクスを指定するＭＵＰを送信したとき，このクラスのＡＴ１０１だけがそのデコーダ（例えばターボデコーダ）を活性化し，ほかのクラスに関連するほかのＡＴは待機状態である。
【００６２】
上記の方式では，ＭＵＰに対応するＡＴ１０１の電力消費は，ＭＵＰ送信期間中大幅に減少する。これは，プリアンブルを復号するための電力消費がターボ復号の場合よりすっと低く，実効上無視できるためである。
【００６３】
またこのＭＵＰ送信による方法は，単一ユーザパケット（ＳＵＰ）送信に全く又はほとんど影響がないことにも注意されたい。例えばＮ＝２のとき，システムは3GPP2 C.S0024-A，"cdma2000 High Rate Packet Data Air Interface Specification"において用いられる別のＭＡＣインデクスを用いるので全く影響がない。Ｎ＞２のときは，１つの追加ＭＵＰクラスが更に５つのＭＡＣインデクスを占めるだけで，ＳＵＰでは１１１のＭＡＣインデクスが利用できるので，影響は小さい。
【００６４】
ＳＵＰを送信するとき，最も高い優先度を有するＡＴを選択してもよく，ＳＵＰを用いて選択したＡＴにデータが送信される。優先度は，アカウントと，サービス品質と，装置能力と，のようないくつかの要因によってもよい。優先度は，（例えば０から２５５の）数値であって，低い数がより高い優先度を示す数値を指定することによって与えることができる。優先度は，コネクション層（例えばパケット統合プロトコル）が送信メッセージの優先度を設定するために用いてもよい。
【００６５】
図１１は，本発明の種々の実施例によってＡＴがＭＵＰを処理するフローチャートである。ステップ１１０１においてＡＴ１０１がある属性（例えばサービス種別及びＡＴの分類によるプリアンブル及びＭＡＣインデクス）を指定するパケットを受信する。ステップ１１０３においてＡＴ１０１はそのパケットがＳＵＰかＭＵＰかを判定する。
【００６６】
ステップ１１０５でパケットがＳＵＰのＭＡＣインデクスを有するときは，受信ＡＴに属するＭＡＣインデクスかどうかを判定する（ステップ１１０７）。ＭＡＣインデクスがＡＴ１０１に属すもののときは，ステップ１１０９でパケットを復号する。ＭＡＣインデクスがＡＴ１０１に属さないときは，ＡＴ１０１はそのパケットを無視する（ステップ１１１１）。
【００６７】
しかし受信パケットがＭＵＰのときは，ＡＴ１０１はプリアンブル及びＭＡＣインデクスを検査して，ステップ１１１３でパケットが適切なクラスを指定しているかどうかを判定する。パケットがそのＡＴのクラスを指定している（すなわちそのＡＴクラスに属す）ときは，ＡＴ１０１はそのパケットを復号する（ステップ１１０９）。そうでなければステップ１１１１でパケットは無視される。またパケットが復号されたとき，ＭＵＰがＡＴのデータを含むかどうかが判定される。ＭＵＰがＡＴのデータを含むときは，ＡＴは自己のデータを上位層プロトコル又はアプリケーションに送信する。ＭＵＰがＡＴのデータを含まないときは，そのパケットは無視される。
【００６８】
当業者であれば多搬送波システム内でアドレス付与を行う処理は，ソフトウェア，ハードウェア（例えば，はん用プロセッサ，デジタル信号処理（ＤＳＰ）チップ，特定用途集積回路（ＡＳＩＣ），フィールドプログラム可能ゲートアレイ（ＦＰＧＡ），等），ファームウェア，又はそれらの組合せで実現できることを理解するであろう。上述の機能を実行する例示ハードウェアを，以降で説明する。
【００６９】
図１２は，本発明の種々の実施例を実現できる例示ハードウェアを示す図である。計算システム１２００は，情報を伝送するバス１２０１又はほかの通信機構と，情報を処理するバス１２０１に接続したプロセッサ１２０３と，を含む。また計算システム１２００は，情報と，プロセッサ１２０３が実行する命令とを記憶する，バス１２０１に接続したランダムアクセスメモリ（ＲＡＭ）又はほかの動的記憶デバイスのような主メモリ１２０５も含む。主メモリ１２０５は，プロセッサ１２０３が命令を実行する際に，一時変数又はほかの中間情報を記憶するためにも用いることができる。更に計算システム１２００は，静的情報及びプロセッサ１２０３の命令を記憶するための，バス１２０１に接続した読み出し専用メモリ（ＲＯＭ）１２０７又はほかの静的記憶デバイスも含む。磁気ディスク又は光ディスクのような記憶デバイス１２０９が，情報及び命令を永続的に記憶するためにバス１２０１に接続される。
【００７０】
計算システム１２００はバス１２０１を介して，ユーザに情報を表示する液晶ディスプレイ又はアクティブマトリクスディスプレイのようなディスプレイ１２１１に接続してもよい。英数キー及びほかのキーを含むキーボードのような入力デバイス１２１３を，プロセッサ１２０３へ情報を伝送し，コマンドを選択するためにバス１２０１に接続してもよい。入力デバイス１２１３は，プロセッサ１２０３へ情報を伝送し，コマンドを選択するため，及びディスプレイ１２１１上のカーソルの動きを制御するために，マウス，トラックボール又はカーソル方向キーのようなカーソル制御を含んでもよい。
【００７１】
本発明の種々の実施例によればここに説明した処理は，主メモリ１２０５に含まれる一連の命令を実行するプロセッサ１２０３に応答して，計算システム１２００が提供することができる。このような命令は，記憶デバイス１２０９のような別の計算機可読媒体から主メモリ１２０５に読み込ませることができる。主メモリ１２０５に含まれる一連の命令を実行することによって，プロセッサ１２０３はここに説明した処理ステップを実行することができる。また，主メモリ１２０５に含まれる命令を実行するために，多重処理構成の１又は複数のプロセッサを用いてもよい。代替実施例においては，本発明の実施例を実現するソフトウェア命令の代わりに，又はそれと組み合わせて，布線回路を用いてもよい。別の例においては，ＦＰＧＡのような再構成可能ハードウェアを用いてもよく，その論理ゲートの機能及び接続トポロジは，実行時に，通常はメモリ参照テーブルをプログラムすることによって個別化することができる。このように本発明の実施例は，ハードウェア回路とソフトウェアとのどの特定の組合せにも限定されない。
【００７２】
また計算システム１２００は，バス１２０１に接続した少なくとも１つの通信インタフェース１２１５も含む。通信インタフェース１２１５は，ネットワークリンク（図示していない）に接続する双方向データ通信を提供する。通信インタフェース１２１５は，種々の種別の情報を表すデジタルデータストリームを搬送する電気信号，電磁気信号又は光信号を送受信する。更に通信インタフェース１２１５は，はん用直列バス（ＵＳＢ）インタフェース，ＰＣＭＣＩＡ（パーソナル計算機メモリカード国際協会）インタフェース，等のような周辺インタフェースデバイスを含んでもよい。
【００７３】
プロセッサ１２０３は，送信されたコードを受信中に実行してもよいし，及び／又は後で実行するために記憶デバイス１２０９又はほかの不揮発性記憶にそのコードを記憶してもよい。この方法で計算システム１２００は，搬送波の形態でアプリケーションコードを取得してもよい。
【００７４】
ここで用いた「計算機可読媒体」という用語は，プロセッサ１２０３が実行するための命令を供給する任意の媒体を指すものとする。このような媒体は，不揮発性媒体と，揮発性媒体と，伝送媒体と，を含むがこれに限定されない多くの形態をとることができる。不揮発性媒体は，例えば記憶デバイス１２０９のような光ディスク又は磁気ディスクを含む。揮発性媒体は，主メモリ１２０５のようなダイナミックメモリを含む。伝送媒体は，バス１２０１を構成する布線を含む，同軸ケーブルと，銅線と，光ファイバと，を含む。また伝送媒体は，無線周波（ＲＦ）データ通信及び赤外線（ＩＲ）データ通信の際に発生されるような，音波，光波又は電磁波の形態をとることもできる。計算機可読媒体の通常の形態は，例えばフロッピ（登録商標）ディスク，フレキシブルディスク，ハードディスク，磁気テープ，任意のほかの磁気媒体，ＣＤ−ＲＯＭ，ＣＤ−ＲＷ，ＤＶＤ，任意のほかの光媒体，パンチカード，紙テープ，光学マークシート，穴のパターン又はほかの光学的に認識可能なしるしを有する任意のほかの物理媒体，ＲＡＭ，ＰＲＯＭ，ＥＰＲＯＭ，フラッシュＥＰＲＯＭ，任意のほかのメモリチップ又はカートリッジ，搬送波，又は計算機が読むことのできる任意のほかの媒体，を含む。
【００７５】
種々の形態の計算機可読媒体を，プロセッサが実行するための命令を供給する際に用いることができる。例えば本発明の少なくとも一部を実行する命令を，初めは遠隔計算機の磁気ディスク上に置いてもよい。このようなシナリオにおいては，遠隔計算機がその命令を主メモリに読み込み，モデムを用い電話回線を介して命令を送信する。局所システムのモデムが電話回線上のデータを受信し，赤外線送信器を用いてそのデータを赤外線信号に変換し，その赤外線信号をパーソナルデジタルアシスタント（ＰＤＡ）又はラップトップのような可搬型計算デバイスに送信する。可搬型計算デバイス上の赤外線検出器が，赤外線信号によって搬送された情報及び命令を受信し，データをバス上に置く。バスはそのデータを主メモリに搬送し，そこからプロセッサが命令を取得して実行する。主メモリが受信した命令は，プロセッサが実行する前，又は実行した後のいずれかに任意選択で記憶デバイスに記憶してもよい。
【００７６】
図１３Ａ及び１３Ｂは，本発明の種々の実施例に対応することができる種々のセルラ携帯電話システムの図である。図１３Ａ及び１３Ｂは，（無線基地局及び移動機内のデジタル信号プロセッサ（ＤＳＰ），ハードウェア，ソフトウェア，集積回路，及び／又は半導体デバイスの一部として）送受信器を備えた移動機（例えば携帯電話機）及び無線基地局双方をそれぞれ含むセルラ携帯電話システムの例を示している。例として無線ネットワークは，国際電気通信連合（ＩＴＵ）が国際移動体通信２０００（ＩＭＴ−２０００）のために規定した第２世代及び第３世代（２Ｇ及び３Ｇ）サービスに対応する。説明のために，無線ネットワークの搬送波及びチャネル選択機能は，ｃｄｍａ２０００アーキテクチャに関して説明している。ｃｄｍａ２０００は，第３世代パートナシッププロジェクト２（３ＧＰＰ２）において，ＩＳ−９５の第３世代版として標準化されつつある。
【００７７】
無線ネットワーク１３００は，無線基地局サブシステム（ＢＳＳ）１３０３と通信する移動機１３０１（例えば携帯電話機，端末，局装置，ユニット，デバイス，又は（「装着可能（ｗｅａｒａｂｌｅ）」回路等のような）ユーザへの任意の種類のインタフェース）を含む。本発明の一実施例によれば，無線ネットワークは国際電気通信連合（ＩＴＵ）が国際移動体通信２０００（ＩＭＴ−２０００）のために規定した第３世代（３Ｇ）サービスに対応する。
【００７８】
この例において，ＢＳＳ１３０３は無線基地局装置（ＢＴＳ）１３０５及び無線基地局制御装置（ＢＳＣ）１３０７を含む。単一のＢＴＳが示されているが，通常は複数のＢＴＳが，例えばポイント‐ツ‐ポイントリンクによってＢＳＣに接続されることを認識されたい。各ＢＳＳ１３０３は，送信制御エンティティ，すなわちパケット制御機能（ＰＣＦ）１３１１によってパケットデータサービスノード（ＰＤＳＮ）１３０９にリンクしている。ＰＤＳＮ１３０９は，例えばインターネット１３１３又はほかの私的消費者ネットワーク１３１５などの外部ネットワークへのゲートウェイとして機能するので，ＰＤＳＮ１３０９は，ユーザの識別情報及び特権を確実に判定し，各ユーザの行動を追跡するために，認証，承認及び課金システム（ＡＡＡ）１３１７を含んでもよい。ネットワーク１３１５は，帰属ＡＡＡ１３３７が保護する帰属エージェント（ＨＡ）１３３５を介して接続される，１又は複数のデータベース１３３３にリンクしたネットワーク管理システム（ＮＭＳ）１３３１を備える。
【００７９】
単一のＢＳＳ１３０３が示されているが，通常は複数のＢＳＳ１３０３が移動体通信交換センタ（ＭＳＣ）１３１９に接続していることを認識されたい。ＭＳＣ１３１９は，公衆交換電話ネットワーク（ＰＳＴＮ）１３２１のような回線交換電話ネットワークへの接続を行う。類似して，ＭＳＣ１３１９は同一ネットワーク１３００上のほかのＭＳＣ１３１９，及び／又はほかの無線ネットワークに接続してもよいことを認識されたい。ＭＳＣ１３１９は通常，そのＭＳＣ１３１９の活性な加入者についての一時情報を保有する在圏位置レジスタ（ＶＬＲ）１３２３データベースと併設されている。ＶＬＲ１３２３データベース内のデータは，大部分が帰属位置レジスタ（ＨＬＲ）１３２５データベースの複製であり，詳細な加入者のサービス加入情報を格納している。いくつかの実施例においてはＨＬＲ１３２５とＶＬＲ１３２３とは同一の物理的データベースであるが，ＨＬＲ１３２５は例えばＮｏ．７信号方式（ＳＳ７）ネットワークによって接続できる遠隔地にあってもよい。認証センタ（ＡｕＣ）１３２７は，秘密認証かぎのような加入者特定認証データを含み，ユーザを認証するためにＨＬＲ１３２５と連携している。更にＭＳＣ１３１９は，ショートメッセージを記憶し，無線ネットワーク１３００との間で転送するショートメッセージサービスセンタ（ＳＭＳＣ）１３２９に接続している。
【００８０】
セルラ電話システムの通常の運用に際しては，ＢＴＳ１３０５は音声呼又はほかの通信を行う複数組の移動体ユニット１３０１から複数組の上りリンク信号を受信して復調する。特定のＢＴＳ１３０５が受信した各上りリンク信号は，その移動機内で処理される。得られたデータはＢＳＣ１３０７へ転送される。ＢＳＣ１３０７は，ＢＴＳ１３０５間のソフトハンドオフ調整を含む呼資源割当て機能及び移動管理機能を行う。ＢＳＣ１３０７はまた，受信データをＭＳＣ１３１９へ送り，ＭＳＣは次にＰＳＴＮ１３２１とのインタフェースへ追加の経路制御及び／又は交換を行う。ＭＳＣ１３１９はまた，呼設定，呼終了，ＭＳＣ間ハンドオーバサービス及び補足サービスの管理，並びに料金収納，課金及び会計を行う。類似して無線ネットワーク１３００は下りリンクメッセージを送信する。ＰＳＴＮ１３２１は，ＭＳＣ１３１９と接続する。ＭＳＣ１３１９はＢＳＣ１３０７とも接続し，次にＢＴＳ１３０５と通信し，ＢＴＳは下りリンク信号の複数の組を変調して，複数の組の移動体ユニット１３０１へ送信する。
【００８１】
図１３Ｂに示すように，はん用パケット無線サービス（ＧＰＲＳ）基盤設備１３５０の２つのキー要素は，サービス提供ＧＰＲＳサポートノード（ＳＧＳＮ）１３３２及びゲートウェイＧＰＲＳサポートノード（ＧＧＳＮ）１３３４である。更にＧＰＲＳ基盤設備は，パケット制御ユニット（ＰＣＵ）１３３６と，請求システム１３３９にリンクした課金ゲートウェイ機能（ＣＧＦ）１３３８とを含む。ＧＰＲＳの移動機（ＭＳ）１３４１は，加入者識別情報モジュール（ＳＩＭ）１３４３を利用する。
【００８２】
ＰＣＵ１３３６は，無線インタフェース接続制御，無線インタフェース上のパケットスケジューリング，並びにパケット組立て及び再組立てのようなＧＰＲＳに関連する機能を行う論理ネットワーク要素である。一般にＰＣＵ１３３６はＢＳＣ１３４５と物理的に統合されている。しかし，ＢＴＳ１３４７又はＳＧＳＮ１３３２と併設することもできる。ＳＧＳＮ１３３２は，移動性管理機能，セキュリティ機能，接続制御機能を含むＭＳＣ１３４９と均等な機能を，パケット交換領域で提供する。更にＳＧＳＮ１３３２は，例えばＢＳＳ ＧＰＲＳプロトコル（ＢＳＳＧＰ）を用いたフレームリレーによるインタフェースによって，ＰＣＵ１３３６と接続する。１つのＳＧＳＮだけが示されているが，複数のＳＧＳＮ１３３１を用いて，サービスエリアを対応する経路制御エリア（Ｒｏｕｔｉｎｇ Ａｒｅａ：ＲＡ）に分割できることを認識されたい。ＳＧＳＮ-ＳＧＳＮインタフェースは，実行中のパケットデータプロトコル（ＰＤＰ）コンテキストにおいてＲＡ更新が発生したとき，旧ＳＧＳＮから新ＳＧＳＮへのパケットトンネリングを可能にする。特定のＳＧＳＮは複数のＢＳＣ１３４５にサービスを提供できるが，どの特定のＢＳＣ１３４５も一般に１つのＳＧＳＮ１３３２と接続する。またＳＧＳＮ１３３２は，ＧＰＲＳ強化移動体アプリケーション部（ＭＡＰ）を用いたＳＳ７によるインタフェースによってＨＬＲ１３５１と，又は信号接続制御部（ＳＣＣＰ）を用いたＳＳ７によるインタフェースによってＭＳＣ１３４９と，任意選択で接続される。ＳＧＳＮ−ＨＬＲインタフェースは，ＳＧＳＮ１３３２がＨＬＲ１３５１に位置更新を提供し，ＳＧＳＮサービスエリア内のＧＰＲＳ関連加入者情報を取得できるようにする。ＳＧＳＮ−ＭＳＣインタフェースは，音声呼のための加入者呼出しのような回線交換サービスとパケットデータサービスとの協調を可能にする。最後に，ＳＧＳＮ１３３２はＳＭＳＣ１３５３と接続して，ネットワーク１３５０を介したショートメッセージ機能を可能にする。
【００８３】
ＧＧＳＮ１３３４は，インターネット１３１３又はほかの私的顧客ネットワーク１３５５のような外部パケットデータネットワークへのゲートウェイである。ネットワーク１３５５はＰＤＳＮ１３６１によって接続される１又は複数のデータベース１３５９にリンクしたネットワーク管理システム（ＮＭＳ）１３５７を備える。ＧＧＳＮ１３３４は，インターネットプロトコル（ＩＰ）アドレスを指定し，また遠隔認証ダイヤルインユーザサービス（ＲＡＤＩＵＳ）のホストとして動作し，ユーザを認証することができる。またＧＧＳＮ１３３４に置かれたファイヤウォールも，未承認のトラヒックを制限するファイヤウォール機能を実行する。１つのＧＧＳＮ１３３４だけが示されているが，特定のＳＧＳＮ１３３２は１又は複数のＧＧＳＮ１３３４と接続することができ，ユーザデータが２つのエンティティの間及びネットワーク１３５０との間をトンネルできるようにする。外部データネットワークがＧＰＲＳネットワーク１３５０上でセッションを開始したとき，ＧＧＳＮ１３３４は，ＭＳ１３４１に現在サービスを提供しているＳＧＳＮ１３３２をＨＬＲ１３５１に問い合わせる。
【００８４】
ＢＴＳ１３４７及びＢＳＣ１３４５は，どのＭＳ１３４１がいつ無線チャネルに接続するかを制御することを含め，無線インタフェースを管理する。これらの要素は本質的に，ＭＳ１３４１とＳＧＳＮ１３３２との間のメッセージを中継する。ＳＧＳＮ１３３２はＭＳ１３４１との通信を管理し，データを送受信し，その位置を追跡する。またＳＧＳＮ１３３２はＭＳ１３４１を登録し，ＭＳ１３４１を認証し，そしてＭＳ１３４１に送信するデータを暗号化する。
【００８５】
図１４は，本発明の実施例による図１３Ａ及び１３Ｂのシステムにおいて動作できる移動機（例えば携帯電話機）の例示コンポーネントの図である。一般に無線受信器は，フロントエンド特徴及びバックエンド特徴の意味で規定されることが多い。受信器のフロントエンドは，すべての無線周波（ＲＦ）回路を含み，一方バックエンドはすべてのベースバンド処理回路を含む。電話に関係する内部コンポーネントは，主制御ユニット（ＭＣＵ）１４０３と，デジタル信号プロセッサ（ＤＳＰ）１４０５と，マイクロホン利得制御ユニット及びスピーカ利得制御ユニットを含む受信器及び送信器ユニットと，を含む。主ディスプレイユニット１４０７は，種々のアプリケーション及び移動機機能を支援する表示をユーザに提供する。音声機能回路１４０９は，マイクロホン１４１１と，マイクロホン１４１１からの音声信号出力を増幅するマイクロホン増幅器と，を含む。マイクロホン１４１１からの増幅された音声信号出力は，コーダ及びデコーダ（コーデック）１４１３に加えられる。
【００８６】
無線セクション１４１５は，移動体通信システム（例えば図１３Ａ又は１３Ｂのシステム）に含まれる無線基地局とアンテナ１４１７を介して通信するために，電力を増幅し，周波数を変換する。電力増幅器（ＰＡ）１４１９並びに送信器及び変調回路は，機能的にＭＣＵ１４０３に応答し，ＰＡ１４１９からの出力は当業においては既知の分波器１４２１又はサーキュレータ，又はアンテナスイッチに接続される。またＰＡ１４１９は，バッテリインタフェース及び電力制御ユニット１４２０にも接続される。
【００８７】
現用時に，ＭＳ１４０１のユーザはマイクロホン１４１１に向かって話をし，その声と任意の検出された背景ノイズとがアナログ電圧に変換される。次にアナログ電圧はアナログデジタル変換器（ＡＤＣ）１４２３によってデジタル信号に変換される。制御ユニット１４０３は，音声符号化，チャネル符号化，暗号化，及びインタリーブのような処理のためにデジタル信号をＤＳＰ１４０５に送る。例示実施例においては，処理した音声信号は，２重モード広帯域スペクトラム拡散セルラシステムのための通信産業協会のＴＩＡ/ＥＩＡ/ＩＳ−９５−Ａ  移動機−無線基地局適合性標準（ここにその全体を参照する）に詳細に記載されているとおりの，個別には示されていないユニットによって符号化される。
【００８８】
符号化した信号は次に等化器１４２５に送られ，無線送信中に生じる位相歪み及び振幅歪みのような任意の周波数依存劣化が補償される。ビットストリームを等化した後，変調器１４２７が信号とＲＦインタフェース１４２９で発生させたＲＦ信号とを混合する。変調器１４２７は周波数変調又は位相変調された正弦波を発生する。送信する信号を用意するために，アップコンバータ１４３１が変調器１４２７からの正弦波出力と，シンセサイザ１４３３で発生させた別の正弦波とを混合して，所望の送信周波数を得る。次に信号はＰＡ１４１９に送られて，適当な電力レベルまで信号を増大させる。実際のシステムにおいては，ＰＡ１４１９は可変利得増幅器として動作し，その利得はネットワーク無線基地局から受信した情報によって，ＤＳＰ１４０５が制御する。次に信号は分波器１４２１内でろ波され，任意選択でアンテナ結合器１４３５に送られて，最大電力転送が行われるようにインピーダンス整合が行われる。最後に信号はアンテナ１４１７を介して近くの無線基地局へ送信される。受信器の最終段の利得を制御するために，自動利得制御（ＡＧＣ）を行ってもよい。信号はそこから，別の携帯電話機かもしれない遠隔電話機，公衆交換電話ネットワーク（ＰＳＴＮ）に接続したほかの携帯電話機又は地上回線，又はほかの電話ネットワークに転送してもよい。
【００８９】
ＭＳ１４０１に送信された音声信号は，アンテナ１４１７を介して受信され，低ノイズ増幅器（ＬＮＡ）１４３７によって直ちに増幅される。ダウンコンバータ１４３９が搬送波を低域に変換し，復調器１４４１がＲＦを除去してデジタルビットストリームだけを残す。次に信号は等化器１４２５へ進み，ＤＳＰ１４０５によって処理される。デジタルアナログ変換器（ＤＡＣ）１４４３が信号を変換し，得られた出力がスピーカ１４４５によってユーザに送信される。すべての操作は主制御ユニット（ＭＣＵ）１４０３の制御下で行われ，ＭＣＵは中央処理ユニット（ＣＰＵ）（図示していない）として実現することができる。
【００９０】
ＭＣＵ１４０３はキーボード１４４７からの入力信号を含む種々の信号を受信する。ＭＣＵ１４０３は，ディスプレイ１４０７に表示コマンド及び切替えコマンドを，切替えコントローラに音声出力を，それぞれ配信する。更にＭＣＵ１４０３は，ＤＳＰ１４０５と情報を交換し，任意選択で組み込まれるＳＩＭカード１４４９及びメモリ１４５１を利用することができる。更にＭＣＵ１４０３は，ＭＳに必要な種々の制御機能を実行する。実装に応じてＤＳＰ１４０５は，音声信号について種々の通常のデジタル処理のうちどれでも実行することができる。更にＤＳＰ１４０５は，マイクロホン１４１１が検出した信号から局所環境の背景ノイズレベルを判定して，マイクロホン１４１１の利得を設定し，ＭＳ１４０１のユーザの生来の傾向を補償するようにレベル選択する。
【００９１】
コーデック１４１３はＡＤＣ１４２３及びＤＡＣ１４４３を含む。メモリ１４５１は着信音データを含む種々のデータを記憶し，例えば，大域インターネットを介して受信した音楽データを含むほかのデータを記憶することができる。ソフトウェアモジュールは，ＲＡＭ，フラッシュメモリ，レジスタ，又は当業において既知の任意の書き込み可能記憶媒体に置くことができる。メモリデバイス１４５１は，単一メモリ，ＣＤ，ＤＶＤ，ＲＯＭ，ＲＡＭ，ＥＥＰＲＯＭ，光記憶媒体，又はデジタルデータを記憶できる任意のほかの不揮発性記憶媒体であってよいが，それに限定されるものではない。
【００９２】
任意選択で組み込まれるＳＩＭカード１４４９は，例えば携帯電話番号と，通信事業者提供サービスと，加入者情報の詳細と，セキュリティ情報と，のような重要な情報を含む。ＳＩＭカード１４４９は，本来無線ネットワーク上のＭＳ１４０１を識別するためのものである。ＳＩＭカード１４４９はまた，個人電話番号帳と，テキストメッセージと，ユーザ特定移動機設定と，を記憶するメモリを含む。
【００９３】
図１５は例示企業内ネットワークであって，パケットを主体とする技術，及び／又はセルを主体とする技術（例えば非同期転送モード（ＡＴＭ），Ｅｔｈｅｒｎｅｔ（登録商標），ＩＰ技術）を用いた任意の種類のデータ通信ネットワークであってよい。企業内ネットワーク１５０１は，有線ノード１５０３及び無線ノード１５０５〜１５０９（固定又は移動）との接続を行い，それらはそれぞれ上述の処理を行うように構成されている。企業内ネットワーク１５０１は，ＷＬＡＮネットワーク１５１１（例えばＩＥＥＥ８０２．１１），ｃｄｍａ２０００セルラネットワーク１５１３，電話ネットワーク１５１５（例えばＰＳＴＮ），又は公衆データネットワーク１５１７（例えばインターネット）のような種々のほかのネットワークと通信することができる。
【００９４】
本発明をいくつかの実施例及び実装例に関連して説明したが，本発明はそれらに限定されず，種々の明白な修正物及び均等構成物を含む。それらは本願請求項の範囲内にある。本発明の特徴を各請求項のある組合せで表現したが，これらの特徴は任意の組合せ及び順序で構成できることを熟慮されたい。
【図面の簡単な説明】
【００９５】
【図１】本発明の実施例による，多搬送波と併用するアドレス付与方式に対応することができる無線システムのアーキテクチャを示す図である。
【図２】本発明の実施例による，接続端末にアドレスを指定する処理のフローチャートである。
【図３】本発明の実施例による，グループアドレス及びグループ内アドレスを用いて接続端末にアドレスを指定する処理のフローチャートである。
【図４】本発明の実施例による，グループアドレスと，グループ内アドレスとの関係を示す図である。
【図５】本発明の実施例による，図４のアドレス付与方式に対する例示パケット形式の図である。
【図６】本発明の実施例による，グループアドレス及びプリアンブル情報を用いて接続端末にアドレスを指定する処理のフローチャートである。
【図７】本発明の種々の実施例による，グループアドレスとプリアンブルインデクスとの関係を示す図である。
【図８】本発明の実施例による，図６のアドレス付与方式に対する例示パケット形式の図である。
【図９】本発明の実施例による，多ユーザパケットを利用するように構成した接続ネットワークの図である。
【図１０】本発明の実施例による，多ユーザパケットの利用を可能にするために接続端末を分類する処理のフローチャートである。
【図１１】本発明の実施例によって接続端末が多ユーザパケットを処理するためのフローチャートである。
【図１２】本発明の実施例を実現するために用いることができるハードウェアの図である。
【図１３Ａ】本発明の種々の実施例に対応することができる種々のセルラ携帯電話システムの図である。
【図１３Ｂ】本発明の種々の実施例に対応することができる種々のセルラ携帯電話システムの図である。
【図１４】本発明の実施例による，図１３Ａ及び１３Ｂのシステムにおいて動作できる移動機の例示コンポーネントの図である。
【図１５】本発明の実施例による，本明細書で説明した処理に対応することができる企業ネットワークの図である。
【図１】
2009510814.tif 000009
【図２】
2009510814.tif 000010
【図３】
2009510814.tif 000011
【図４】
2009510814.tif 000012
【図５】
2009510814.tif 000013
【図６】
2009510814.tif 000014
【図７】
2009510814.tif 000015
【図８】
2009510814.tif 000016
【図９】
2009510814.tif 000017
【図１０】
2009510814.tif 000018
【図１１】
2009510814.tif 000019
【図１２】
2009510814.tif 000020
【図１３Ａ】
2009510814.tif 000021
【図１３Ｂ】
2009510814.tif 000022
【図１４】
2009510814.tif 000023
【図１５】
2009510814.tif 000024
【国際調査報告】
2009510814.tif 000025
2009510814.tif 000026
2009510814.tif 000027
2009510814.tif 000028